(57)【特許請求の範囲】
【請求項１】
レンズ光学系を透過して露光面に到達する光量を制限する開口絞りと、この開口絞りと別体で形成され、露光時間だけ開くことにより露光面を露光させるシャッタとを備えたカメラにおいて、上記シャッタが開いている間に上記開口絞りの開口面積を変化させる制御手段を備え、
上記制御手段は、上記開口絞りを開放値以外の予め設定された初期値に絞り込むとともに、上記初期値に絞り込まれた後に上記開口絞りを徐々に開かせ、上記露光時間の終了時には少なくとも開放値近傍まで開かせた状態とする絞り制御手段と、
上記開口絞りが上記初期値に絞り込まれた後に、上記シャッタの開動作を開始させるシャッタ制御手段とを備えていることを特徴とするカメラの露出制御装置。
【請求項２】
請求項１記載のカメラの露出制御装置において、上記絞り制御手段は、上記初期値に絞り込まれた上記開口絞りを開き動作中に露出指数の変化速度が増大するように開かせるものであることを特徴とするカメラの露出制御装置。
【請求項３】
請求項１記載のカメラの露出制御装置において、上記絞り制御手段は、上記初期値に絞り込まれた上記開口絞りを露出指数の変化速度が一定で開かせるものであることを特徴とするカメラの露出制御装置。
【請求項４】
請求項１〜３のいずれかに記載のカメラの露出制御装置において、測光手段による測光値から上記露光時間を求める測光制御手段と、求められた上記露光時間が所定値以下のときは上記制御手段の動作を禁止する禁止制御手段とを備えたことを特徴とするカメラの露出制御装置。
【請求項５】
請求項１〜３のいずれかに記載のカメラの露出制御装置において、測光手段による測光値から上記露光時間を求める測光制御手段と、求められた上記露光時間が所定値以下のときは上記初期値を開放側に所定量だけ変更する初期値変更制御手段とを備えたことを特徴とするカメラの露出制御装置。
【請求項６】
請求項４又は５記載のカメラの露出制御装置において、上記所定値は、上記初期値に絞り込まれた上記開口絞りを開放値まで全開するのに要する時間に設定されていることを特徴とするカメラの露出制御装置。
【請求項７】
請求項４又は５記載のカメラの露出制御装置において、上記シャッタは、先幕及び後幕から構成されるフォーカルプレンシャッタであり、上記所定値は、上記フォーカルプレンシャッタの幕走行時間に対する所定比率に設定されていることを特徴とするカメラの露出制御装置。
【請求項８】
請求項４〜７のいずれかに記載のカメラの露出制御装置において、求められた上記露光時間が上記所定値以下のときにその旨を報知する報知手段を備えたことを特徴とするカメラの露出制御装置。
【発明の詳細な説明】
【０００１】
【発明の属する技術分野】
本発明は、フィルムの露光中、すなわちシャッタが開いている間に開口絞りの開口面積を変化させることにより特殊な写真効果を得ることが可能なカメラの露出制御装置に関するものである。
【０００２】
【従来の技術】
一般に、カメラは、フィルムを適切に露光するために、レンズ光学系を透過してフィルムに到達する光量を制限するための開口絞りと、設定された露出時間（以下「シャッタ速度」という。）だけ開くことによりフィルムを露光させるためのシャッタとを備えている。開口絞りの開口面積やシャッタ速度は、写真写りに大きな影響を与える要素で、ボケやブレの発生に密接に関連している。
【０００３】
レンズシャッタは、レンズ光学系内に配設され、一般に絞り羽根とシャッタ羽根が兼用されて構成されるシャッタで、開口絞り及びシャッタを兼用するものである。このため、開口面積とシャッタ速度とを互いに独立して設定することができず、従って、カメラの仕様により、測光値に応じて開口面積とシャッタ速度が決定されるようになっている。
【０００４】
一方、レンズ交換可能な一眼レフカメラでは、一般に、開口絞りとシャッタが別体で形成され、シャッタとしてフィルムの直前に配設されたフォーカルプレンシャッタを備えている。このような一眼レフカメラでは、従来、開口絞りの開口面積及びシャッタ速度は、被写体の明るさに応じて好適にフィルムが露光されるように、手動あるいは自動的に設定される。そして、撮影時には、まず、開口絞りが所定の絞り値まで絞り込まれ、次いで、開口面積が固定された状態でシャッタが作動するようになっている。
【０００５】
また、従来、レンズシャッタとフォーカルプレンシャッタとを備え、レンズシャッタをプログラムシャッタとして作動させるレンズシャッタモードと、レンズシャッタにより絞りを制御してフォーカルプレンシャッタによりシャッタ速度を制御するフォーカルプレンシャッタモードとが設定可能にされたカメラシステムが提案されている（特開平１−３１６７２６号公報参照）。
【０００６】
このカメラシステムによれば、レンズシャッタによりプログラム露出を行わせた場合には、時間が経過するに従って開口面積が変化することになるので、絞り効果による像のボケから動体の運動方向が認識可能になっている。
【０００７】
また、従来、レンズシャッタの開閉動作において、比較的低速で開いて高速で閉じるようにした三角波形の露出曲線で動作させることによりアポダイゼーションフィルタを用いた場合に近似した効果（以下「アポダイズ効果」という。）を得るようにしたカメラが製品化されている（「写真工業」写真工業出版社1971年５月号p.66〜71参照）。アポダイゼーションフィルタは、光軸中心から光軸と垂直な方向に離れるに従って透過率が低下するように構成されたフィルタで、このアポダイゼーションフィルタを用いて写真を撮影すると、焦点はずれ像が全体にふわりとボケて良好なボケ具合いの像になる効果が得られる。
【０００８】
【発明が解決しようとする課題】
しかしながら、上記従来の一眼レフカメラでは、露光中は絞り値が変化せずに一定値に保持されているので、上記アポダイズ効果を得ることはできない。
【０００９】
また、上記従来の特開平１−３１６７２６号公報記載のカメラシステム及び上記従来の三角波形の露出曲線で動作するカメラでは、レンズシャッタが時間経過に従って一定速度で開口するので、十分なアポダイズ効果、あるいは撮影者の意図に応じた所望のアポダイズ効果を得ることができない。
【００１０】
本発明は、上記問題を解決するもので、露光中に透過光量を時間的に変化させることで、アポダイゼーションフィルタを用いることなく十分なアポダイズ効果を得ることが可能なカメラの露出制御装置を提供することを目的とする。
【００１１】
【課題を解決するための手段】
本発明は、レンズ光学系を透過して露光面に到達する光量を制限する開口絞りと、この開口絞りと別体で形成され、露光時間だけ開くことにより露光面を露光させるシャッタとを備えたカメラにおいて、上記シャッタが開いている間に上記開口絞りの開口面積を変化させる制御手段を備え、上記制御手段は、上記開口絞りを開放値以外の予め設定された初期値に絞り込むとともに、上記初期値に絞り込まれた後に上記開口絞りを徐々に開かせ、上記露光時間の終了時には少なくとも開放値近傍まで開かせた状態とする絞り制御手段と、
上記開口絞りが上記初期値に絞り込まれた後に、上記シャッタの開動作を開始させるシャッタ制御手段とを備えたものである（請求項１）。
【００１２】
この構成によれば、シャッタが開いている間に開口絞りの開口面積が変化し、露光時間の終了時には少なくとも開放値近傍まで開かせた状態とすることにより、レンズ光学系の中心部を通過する光量と周辺部を通過する光量とが異なるものとなり、アポダイズ効果が得られることとなる。また、開口絞りが初期値に絞り込まれた後に、シャッタの開動作が開始されるとともに、開口絞りが徐々に開かれることにより、シャッタが開いている間に開口絞りの開口面積が増大することとなり、これによって、レンズ光学系の中心部を通過する光量に比べて周辺部を通過する光量が低下して、十分なアポダイズ効果が得られることとなる。さらに、上記露光時間の終了時には少なくとも開口絞りが開放値近傍まで開くことにより、レンズ光学系を通過する最外周部の光が撮影に用いられることとなり、より十分なアポダイズ効果が得られる。
【００１３】
また、請求項１記載のカメラの露出制御装置において、上記絞り制御手段は、上記初期値に絞り込まれた上記開口絞りを開き動作中に露出指数の変化速度が増大するように開かせるものである（請求項２）。
【００１４】
この構成によれば、初期値に絞り込まれた開口絞りの開き動作中に露出指数、すなわちＡＶ（Aperture Value）段数の変化速度が増大することにより、レンズ光学系を通過する周辺部の光量は中心部から離れるに従って急激に低下することとなり、これによって、より十分なアポダイズ効果が得られる。
【００１５】
また、請求項１記載のカメラの露出制御装置において、上記絞り制御手段は、上記初期値に絞り込まれた上記開口絞りを露出指数の変化速度が一定で開かせるものである（請求項３）。
【００１６】
この構成によれば、初期値に絞り込まれた開口絞りが、露出指数、すなわちＡＶ段数の変化速度が一定で開くことにより、レンズ光学系を通過する周辺部の光量は中心部から離れるに従って低下することとなり、これによって、より十分なアポダイズ効果が得られる。
【００１７】
また、請求項１〜３のいずれかに記載のカメラの露出制御装置において、測光手段による測光値から上記露光時間を求める測光制御手段と、求められた上記露光時間が所定値以下のときは上記制御手段の動作を禁止する禁止制御手段とを備えたものである（請求項４）。
【００１８】
この構成によれば、測光手段による測光値から露光時間が求められ、求められた露光時間が所定値以下のときは制御手段の動作が禁止されることにより、露光時間が所定値以下のときには、十分なアポダイズ効果が得られないことから、そのための撮影動作は行われないこととなる。
【００１９】
また、請求項１〜３のいずれかに記載のカメラの露出制御装置において、測光手段による測光値から上記露光時間を求める測光制御手段と、求められた上記露光時間が所定値以下のときは上記初期値を開放側に所定量だけ変更する初期値変更制御手段とを備えたものである（請求項５）。
【００２０】
この構成によれば、測光手段による測光値から露光時間が求められ、求められた露光時間が所定値以下のときは初期値が開放側に所定量だけ変更されることにより、露光時間が所定値以下のときでもアポダイズ効果が得られることとなる。
【００２１】
また、請求項４又は５記載のカメラの露出制御装置において、上記所定値は、上記初期値に絞り込まれた上記開口絞りを開放値まで全開するのに要する時間に設定されている（請求項６）。
【００２２】
この構成によれば、所定値は、初期値に絞り込まれた開口絞りを開放値まで全開するのに要する時間に設定されていることにより、露光時間内に開口絞りが全開されるかどうかが基準とされることとなる。
【００２３】
また、請求項４又は５記載のカメラの露出制御装置において、上記シャッタは、先幕及び後幕から構成されるフォーカルプレンシャッタであり、上記所定値は、上記フォーカルプレンシャッタの幕走行時間に対する所定比率に設定されている（請求項７）。
【００２４】
この構成によれば、所定値は、フォーカルプレンシャッタの幕走行時間に対する所定比率に設定されていることにより、露光時間がフォーカルプレンシャッタの幕走行時間に対する所定比率以下かどうかが基準とされることとなる。
【００２５】
また、請求項４〜７のいずれかに記載のカメラの露出制御装置において、求められた上記露光時間が上記所定値以下のときにその旨を報知する報知手段を備えたものである（請求項８）。
【００２６】
この構成によれば、求められた露光時間が所定値以下のときにその旨が報知されることにより、露光時間が所定値以下のときには、十分なアポダイズ効果が得られないことから、その旨が撮影者に報知されることとなる。
【００２７】
【発明の実施の形態】
図７は本発明に係るカメラの露出制御装置が適用されるカメラの一実施形態の概略内部構成図である。
このカメラは、図７に示すように、レンズ部Ｌとボディ部Ｂとからなり、レンズ部Ｌはボディ部Ｂに設けられたレンズ取付部１に着脱可能に取り付けられ、ボディ部Ｂの上端には外付けフラッシュＦが取り付けられている。
【００２８】
レンズ部Ｌは、円筒形状の鏡筒２の内周に隣接して配設された円筒形状のフォーカスカム環（図略）と、このフォーカスカム環の内周に隣接して配設された円筒形状の固定筒（図略）と、フォーカスカム環及び固定筒に支持された第１群移動枠３（図１）及び第２群移動枠４（図１）と、第１群移動枠３（図１）に支持されたレンズ５，６、開口絞り（以下単に「絞り」という。）７及びこの絞り７を支持するための支持フレーム８と、第２群移動枠４（図１）に支持されたレンズ９とを備えるとともに、フォーカシングモータ１０と、パルスモータからなる絞り駆動モータ１１と、レンズ部Ｌの上記各部の制御を行うレンズマイコン１２とを備えている。このレンズマイコン１２は、レンズ部Ｌが備えるレンズ光学系の開放Ｆナンバーなどの予め設定されたデータ等が格納されたＲＯＭ８１を内蔵している。
【００２９】
第１群移動枠３（図１）及び第２群移動枠４（図１）は、それぞれ固定筒に穿設された直進溝及びフォーカスカム環に穿設されたカム溝に係合する図略の案内ピンを備えている。
【００３０】
一方、ボディ部Ｂは、レンズ部Ｌの光軸上に順に配置された主ミラー２１、フォーカルプレンシャッタ（以下単に「シャッタ」という。）２２及びフィルム２３を備えるとともに、上部に配置されたペンタプリズム２４及び接眼レンズ２５からなるファインダ光学系を備えている。主ミラー２１は、光軸に対して45°傾斜して配置され、レンズ部Ｌを通過した光を上記ファインダ光学系に導くためのもので、シャッタ２２は、先幕２２１及び後幕２２２を備えている。また、主ミラー２１を露光開始直前に図７に示す位置から退避させるとともに露光終了直後に復帰させる公知のクイックリターンミラー機構（図略）を備えている。
【００３１】
また、ボディ部Ｂは、測距を行うための測距手段（ＡＦ）２６と、接眼レンズ２５の上方適所に配設された測光手段（ＡＥ）２７と、ＬＥＤなどからなるファインダ内表示部２８と、表面適所に配設されたシャッターボタン２９と、シャッターボタン２９の半押しでオンになるスイッチＳＷ１と、このスイッチＳＷ１のオン状態からシャッターボタン２９を更に深く押し込むとオンになるレリーズスイッチＳＷ２と、フィルム２３の感度を読み取るためのフィルム感度読取手段３０と、シャッタ２２の先幕２２１及び後幕２２２を所定のタイミングで駆動するシャッタ駆動手段３１と、表面適所に配設された操作部３２と、ボディ部Ｂの上記各部の制御を行うボディマイコン３３とを備えている。
【００３２】
この構成により、ペンタプリズム２４に導かれた光の一部は測光手段２７に入射し、この測光手段２７から出力される測光値に基づいて被写体の明るさが検出され、絞り７の制御が行われる。
【００３３】
また、フォーカシング時にフォーカシングモータ１０が回転すると、フォーカスカム環が回転し、固定筒上の直進溝及びフォーカスカム環のカム溝に係合する案内ピンによって、第１群移動枠３（図１）及び第２群移動枠４（図１）がそれぞれ移動し、これによってレンズ５，６及び絞り７は一体的に、レンズ９は独立に繰り出されて合焦位置まで移動する。
【００３４】
また、外付けフラッシュＦは、フラッシュランプ３６と、フラッシュ発光回路３７とを備えている。
【００３５】
図８は絞り７及びその駆動部を示す分解斜視図である。
絞り７は、図８に示すように、７枚の絞り羽根４１で構成され、絞り７を絞り込むための駆動部は、図中、左から押え板４２、操作板４３、支持フレーム８、モータ台板４４及び絞り駆動モータ１１から構成されており、押え板４２は、支持フレーム８に固定支持され、操作板４３は、支持フレーム８に回動可能に支持されている。
【００３６】
各絞り羽根４１は、一方の面（図中、右側）に突設されたピン５１と、他方の面（図中、左側）に突設されたピン５２とを備えており、ピン５１は操作板４３に穿設された穴５３に嵌合し、ピン５２は押え板４２に設けられたガイド溝５４に嵌合している。
【００３７】
絞り駆動モータ１１は、その回転軸に固定されたギヤ５５が操作板４３に形成されたラック５６と噛み合うように、モータ台板４４に支持されて支持フレーム８に取り付けられている。
【００３８】
この構成により、絞り駆動モータ１１の回転がラック５６に伝達されると操作板４３が光軸回りに回転し、この操作板４３の回転に伴ってピン５１が回転移動する。一方、ピン５２はガイド溝５４に沿って移動するため、絞り羽根４１の角度が変化することにより、絞り羽根４１によって形成される絞り７の開口面積が変化する。
【００３９】
なお、操作板４３に設けられたレバー５７は、支持フレーム８に設けられたガイド溝５８に嵌合しており、絞り７の開放状態においてばね５９と当接するように構成されており、このばね５９の移動によって、絞り７の開放が検出されるようになっている。
【００４０】
次に、図９、図１０を用いてＦナンバーについて説明する。図９は絞り７の開口径に対するＦナンバーを示す図、図１０は制御Ｆナンバーに対する絞り込み時の絞り駆動モータ１１の駆動パルス数のテーブルデータを示す図である。但し、図９においてＲ0は開放時の絞り開口径である。
【００４１】
Ｆナンバーは、レンズ光学系の明るさ及び絞り値を定量化した値で、下記数１に示すように、レンズ光学系の焦点距離及び有効口径によって決まる。なお、本実施形態は、図９に示すように、絞り７の開放時のＦナンバーが2.8で、開放Ｆナンバー2.8から最小Ｆナンバー32まで、露出指数、すなわちＡＶ（Aperture Value）段数で７段絞り込めるように構成されている。
【００４２】
【数１】
ＦNo＝ｆ／Ｄ
但し、ＦNoはＦナンバー、ｆはレンズ光学系の焦点距離、Ｄはレンズ光学系の有効口径である。
【００４３】
図１０において、絞り駆動モータ１１が開放Ｆナンバー2.8から8パルスずつ駆動すると、Ｆナンバー4，5.6，…というように絞り込まれる。従って、ボディマイコン３３から送られる制御Ｆナンバーが8のときは、絞り駆動モータ１１の駆動パルス数を24パルスに制御すればよい。
【００４４】
図１は本実施形態の制御構成を示すブロック図である。
操作部３２は、露出モード設定手段６１及びフラッシュ設定手段６２を備えている。露出モード設定手段６１は、アポダイズモード及び通常モードのいずれか一方を選択して露出モードの設定を行うものである。アポダイズモードは、アポダイゼーションフィルタを用いたときに近似した撮影効果、すなわちアポダイズ効果を得るためのモードである。
【００４５】
アポダイゼーションフィルタは、所定濃度に着色することにより透過率を低下させたＮＤガラスからなる凹レンズと、透明ガラスからなる凸レンズとを張り合わせて形成したもので、光軸中心から光軸と垂直な方向に離れるに従って透過率が低下するような特性を有するフィルタである。
【００４６】
このアポダイゼーションフィルタを用いると、ボケ像の周辺部の光量が低下するため、以下の(a)〜(i)のような撮影効果を得ることができる。
(a)静止被写体に対し、ボケの周縁の濃度が徐々に薄くなり、全体的にボケが柔らかく雰囲気のよい写真が得られる。
(b)デフォーカス像が改善される。
(c)偽解像を起こさない。
(d)二線ボケの無い美しいボケ具合の写真が得られる。
(e)デフォーカスされた像が元の物体の形状に忠実である。
(f)開放Ｆナンバーが等しい場合、焦点深度が深くなる。
(g)色の異なる被写体のボケ像において、色の濁りが生じにくくなる。
(h)収差による像への悪影響が減少し、焦点像が改善される。
(i)動体に対し、露光開始時には薄く露光終了に近づくにつれて濃くなる流れ像が得られ、動きの方向や程度が表現できる。
【００４７】
フラッシュ設定手段６２は、フラッシュランプ３６を発光させるか否かのオンオフを設定するものである。
【００４８】
ボディマイコン３３は、ＲＡＭ７１、ＲＯＭ７２、露出演算手段７３、シャッタ制御手段７４及びフラッシュ制御手段７５を備えている。
ＲＡＭ７１は、データを一時的に保管するものである。ＲＯＭ７２は、アポダイズモードのときに絞り７を開放値から絞り込むべき予め設定された設定段数ΔＡＶ0（本実施形態ではΔＡＶ0＝3）、後述する基準シャッタ速度ＴS0、後述する設定時間Ｔ1などの予め設定されたデータや、アポダイズモードにおける絞り７の絞り込みパターンなどを記憶するものである。
【００４９】
露出演算手段７３は、通常モードでは、測光手段２７の測光値により検出された被写体の明るさを用いて、開放Ｆナンバーに絞り込むべきＡＶ段数を加算して制御Ｆナンバーを求めるとともに、シャッタ速度ＴSを求めるものである。また、アポダイズモードでは、被写体の明るさ及び設定段数ΔＡＶ0を用いて、シャッタ速度ＴSを求めるものである。
【００５０】
シャッタ制御手段７４は、レリーズスイッチＳＷ２がオンにされると、シャッタ駆動手段３１を介してシャッタ２２の駆動を制御するものである。フラッシュ制御手段７５は、フラッシュ設定手段６２がオンのときに、後述するタイミングで、フラッシュ発光回路３７を介してフラッシュランプ３６を発光させるものである。
【００５１】
ボディマイコン３３は、更に、以下(1)〜(7)の機能を有する。
(1)ボディ部Ｂに取り付けられたレンズ部Ｌがアポダイズモードで撮影可能なレンズかどうかを後述する基準に基づき判別する。
(2)スイッチＳＷ１、レリーズスイッチＳＷ２のオンオフを判別する。
(3)露出モード設定手段６１で設定された露出モードを判別する。
【００５２】
(4)アポダイズモードのときに、求められたシャッタ速度ＴSから、後述するように設定時間Ｔ2の値を決定する。
(5)レリーズスイッチＳＷ２のオンからの経過時間をカウントし、設定時間Ｔ1，Ｔ2が経過したかどうかを判別する。
(6)アポダイズモードのときに、求められたシャッタ速度ＴSからアポダイズモードによる撮影が可能か否かを判別する。
(7)アポダイズモードによる撮影が不可能であると判別したときに、ファインダ内表示部２８にその旨の警告表示を行わせる等の後述する制御を行う。なお、ファインダ内表示部２８における警告表示は、赤色ＬＥＤの点灯や、ＬＥＤの点滅表示等により行われる。
【００５３】
レンズマイコン１２は、ＲＯＭ８１、絞り制御手段８２及びフォーカス制御手段８３を備えている。
ＲＯＭ８１は、このレンズ光学系の開放Ｆナンバーと最小Ｆナンバー、焦点距離、デフォーカス量と必要繰り出し量との比、図１０に示した制御Ｆナンバーに対する絞り込み時の絞り駆動モータ１１の駆動パルス数のテーブルデータなどの予め設定されたデータを記憶するものである。
【００５４】
レンズマイコン１２は、ＲＯＭ８１に記憶されたデータをボディマイコン３３に送信するものである。また、レンズマイコン１２は、ボディマイコン３３から送信される制御Ｆナンバーに従って、絞り駆動モータ１１の駆動パルス数を制御するもので、これによって操作板４３が回転し、絞り７が開放状態から所定のＡＶ段数だけ絞り込まれる。
【００５５】
次に、図１、図２を用いてアポダイズモードにおける絞り７、シャッタ２２及びフラッシュランプ３６の動作について説明する。図２は絞り７、シャッタ２２及びフラッシュランプ３６の動作状態を示すタイミングチャートである。
【００５６】
（１）アポダイズモードの可否
アポダイズモードでは、絞り７を開放状態から設定値ΔＡＶ0だけ絞り込んだ後、絞り７を開き始めて、シャッタ２２が開いた状態のフィルム露光中に、絞り７を徐々に開いている。例えば、アポダイズモードにおける絞り７の開放値からの絞り込み量ΔＡＶ0は、ＡＶ段数でΔＡＶ0＝3に設定されているので、本実施形態では開放Ｆナンバー＝2.8であることから、Ｆナンバー＝8程度まで絞り込んだ後、徐々に開いている。これによって、光軸中心から光軸と垂直な方向に離れるに従って光量が低下するため、アポダイズ効果が得られることとなる。
【００５７】
このため、絞り７を開放値近傍で動作させると、最も良くアポダイズ効果が得られる。従ってこの実施形態では、図２のタイミングチャートに示す通り、上記露光時間Ｔｓの終了時には少なくとも絞り７を開放値まで開かせた状態としている。また、絞り７の開放Ｆナンバーがある程度小さい、すなわち明るいレンズ光学系でなければ、良好なアポダイズ効果が得られない。
【００５８】
そこで、ボディマイコン３３は、ボディ部Ｂに取り付けられたレンズ部Ｌの絞り７の開放Ｆナンバーの値がＦナンバー＝4以下であれば、アポダイズモードで撮影可能なレンズであると判別する。
【００５９】
一方、絞り７を開放付近で動作させることとすると、測光手段２６により被写体が明るいことが検出された場合には、求められるシャッタ速度ＴSは小さい値になる。この場合に、絞り７をΔＡＶ0＝3だけ開くのに要する時間をＴS0とすると、ＴS＜ＴS0までシャッタ速度が小さくなると、露光時間ＴS内に絞り７を開放値まで全開することが不可能になる。
【００６０】
従って、時間ＴS0を基準シャッタ速度ＴS0とし、露出モード設定手段６１により露出モードがアポダイズモードに設定されていても、求められたシャッタ速度ＴSがＴS＜ＴS0の場合には、ボディマイコン３３は、アポダイズモードによる撮影が不可能であると判別し、アポダイズモードでの撮影が不可能である旨をファインダ内表示部２８に警告表示するとともに、レリーズスイッチＳＷ２のオンの受付けを禁止する。
【００６１】
なお、アポダイズモードによる撮影が不可能と判別したときは、次の（イ）又は（ロ）の制御を行うようにしてもよい。
（イ）設定値ΔＡＶ0＝2に変更して、絞り７の変化範囲を制限することにより、露光時間ＴS内で絞り７を開放値まで全開可能にして撮影を行う。
（ロ）設定値ΔＡＶ0＝3のままで、絞り７を開放値まで全開せずにＦナンバー＝4まで開くことにより、絞り７の変化範囲を制限して撮影を行う。
これらによって、アポダイズ効果は多少低下するものの、アポダイズモードによる撮影を行うことができる。
【００６２】
また、図２において、先幕及び後幕が一端から他端まで走行するのに要する時間である幕走行時間ＴFは、カメラ固有の固定値で、ボディマイコン３３のＲＯＭ７２に格納されている。シャッタ速度ＴSがＴS＜４ＴFの場合には、絞り７の開口面積の増大に対して幕走行による影響が大きくなるので、ＴS0＝４ＴFと設定してもよい。また、例えばＴS0＝1／125(秒)と設定してもよい。
【００６３】
（２）絞り７の開き制御
ＲＯＭ８１(図１)は、図２に実線で示すような、絞り７の開き動作中に露出指数（ＡＶ段数）の変化速度が増大する変化制御曲線Ｐ１をＴS＝1／125(秒)，1／60(秒)等の各シャッタ速度ＴSに対応して記憶している。そして、絞り制御手段８２(図１)は、露出演算手段７３(図１)で求められたシャッタ速度ＴSに対応する変化制御曲線を選択し、この変化制御曲線に沿って、絞り７の開き制御を行う。これによって、周辺部において外側に行くほど光量低下が大きくなる。
【００６４】
ここで、シャッタ速度ＴSに応じて決定される設定時間Ｔ2は、各変化制御曲線Ｐ１によって絞り７が開放にされる時点ｔ3より後に後幕２２２が走行するように、すなわち(ｔ2＋ＴS)＞ｔ3となるように決定される。
【００６５】
なお、次の[1]〜[9]に示すような絞り７の開き制御を行ってもよい。
[1]ＲＯＭ８１(図１)は、絞り７の開き動作中に露出指数（ＡＶ段数）の変化速度が増大するような変化パターンを記憶している。そして、絞り制御手段８２(図１)は、図２に実線で示すように、この変化パターンから露出演算手段７３(図１)で求められたシャッタ速度ＴSに応じた変化制御曲線Ｐ１を生成し、この変化制御曲線Ｐ１に沿って、絞り７の開き制御を行う。
【００６６】
[2]ＲＯＭ８１(図１)に、絞り７の開き動作中における露出指数（ＡＶ段数）の変化速度が一定になるような変化パターンを記憶させる。そして、絞り制御手段８２(図１)は、図２に二点鎖線で示すように、この変化パターンからシャッタ速度ＴSに応じた変化制御曲線Ｐ２を生成し、この変化制御曲線Ｐ２に沿って、絞り７の開き制御を行う。
【００６７】
[3]ＲＯＭ８１(図１)に、上記[1]，[2]の変化パターンの中間のパターンを記憶させる。そして、絞り制御手段８２(図１)は、図２に一点鎖線で示すように、この変化パターンからシャッタ速度ＴSに応じた変化制御曲線Ｐ３を生成し、この変化制御曲線Ｐ３に沿って、絞り７の開き制御を行う。
【００６８】
[4]図１において、ＲＯＭ８１に、上記[1]〜[3]の変化パターンを記憶させるとともに、操作部３２は、一点鎖線で示すように、いずれかの変化パターンを選択する変化パターン選択手段６３を備える。そして、ボディマイコン３３は、選択された変化パターンを判別するとともに、判別した変化パターンをレンズマイコン１２に送信する。絞り制御手段８２は、選択された変化パターンからシャッタ速度ＴSに応じた変化制御曲線を生成し、この変化制御曲線に沿って、絞り７の開き制御を行う。
【００６９】
[5]図１において、操作部３２は、一点鎖線で示すように、アポダイズモードのときの絞り込み量ΔＡＶ0を変更設定する露出設定手段６４を備える。ボディマイコン３３は、設定された絞り込み量ΔＡＶ0を判別するとともに、判別した絞り込み量ΔＡＶ0をレンズマイコン１２に送信する。絞り制御手段８２は、設定された絞り込み量ΔＡＶ0だけ絞り込んだ後、絞り７の開き制御を行う。例えばΔＡＶ0＝4に設定されたときは、Ｆナンバー＝8まで絞り込まれた後、絞り７の開き制御が行われる。
【００７０】
この形態によれば、例えば被写体が移動する動体の場合に、被写体の移動速度に応じて絞り込み量ΔＡＶ0を変更設定することができ、これによって、被写体の移動速度に応じてシャッタ速度（露光時間）及び絞り７の絞り量の制御を行うことができる。
【００７１】
また、この形態において、露出設定手段６４により絞り込み量ΔＡＶ0を多少大きめに設定し、露光中に絞り７が開放値まで全開しないような状態でアポダイズモードの撮影を行うようにしてもよい。この場合でも、アポダイズ効果を得ることができる。
【００７２】
[6]設定時間Ｔ2は、各変化制御曲線Ｐ１によって絞り７が開放にされる時点ｔ3と同時に後幕２２２が走行するように、すなわち(ｔ2＋ＴS)＝ｔ3となるように決定してもよい。
【００７３】
[7]図１において、ＲＯＭ８１は、絞り７の開き速度が加速度的に増加する第１、第２の変化制御曲線を記憶する。露出演算手段７３は、求めたシャッタ速度ＴSと第２基準シャッタ速度ＴS10(例えばＴS10＝1／15秒)を比較し、ＴS＜ＴS10のときは第１の変化制御曲線を選択し、ＴS≧ＴS10のときは第２の変化制御曲線を選択する。そして、絞り制御手段８２は、この選択された変化制御曲線に沿って、絞り７の開き制御を行う。
【００７４】
ここで、第１の変化制御曲線は、基準シャッタ速度ＴS0に合わせて絞り７が開放するように設定され、第２の変化制御曲線は、第２基準シャッタ速度ＴS10に合わせて絞り７が開放するように設定されている。これによって、それぞれ露光時間（シャッタ速度）内に絞り７が開放値まで全開されることとなる。
【００７５】
[8]図１において、絞り制御手段８２は、ＲＯＭ８１に記憶されているレンズ光学系の開放Ｆナンバーに応じて絞り込み量ΔＡＶ0を変更設定する。例えば開放Ｆナンバー≦2.8であればΔＡＶ0＝３、開放Ｆナンバー≧4であればΔＡＶ0＝２とする。このように、明るいレンズ光学系であれば絞り７の変化量を増大し、暗いレンズ光学系であれば絞り７の変化量を低減することによって、レンズ光学系に好適な絞り７の制御が行える。
【００７６】
[9]図１において、操作部３２は、一点鎖線で示すように、アポダイズモードのときの絞り込み量ΔＡＶ0を変更設定する露出設定手段６４を備え、ボディマイコン３３は、設定された絞り込み量ΔＡＶ0を判別してレンズマイコン１２に送信する。そして、絞り制御手段８２は、設定された絞り込み量ΔＡＶ0が大きいときは絞り７の開き速度を高くし、絞り込み量ΔＡＶ0が小さいときは絞り７の開き速度を低くする。
【００７７】
この形態によれば、絞り込み量ΔＡＶ0を変更設定することにより所望の度合いのアポダイズ効果が得られるとともに、絞り込み量ΔＡＶ0の大小に関わりなく絞り７を露光時間（シャッタ速度）内に開放値まで全開することができる。
【００７８】
（３）フラッシュランプ３６の発光タイミング
フラッシュ制御手段７５(図１)は、求められたシャッタ速度ＴSを用いて、図２に示すように、露光終了時(ｔ2＋ＴS時点)の直前に最大光量に達するように、ｔ4時点にフラッシュランプ３６の発光を開始させている。
【００７９】
なお、フラッシュ制御手段７５(図１)は、次の[A]〜[C]に示すようなタイミングでフラッシュランプ３６を発光させるものとしてもよい。
[A]変化制御曲線Ｐ１によって絞り７が開放にされる時点ｔ3と同時、すなわちｔ4＝ｔ3としてフラッシュランプ３６の発光を開始させる。
[B]変化制御曲線Ｐ１によって絞り７が開放にされる時点ｔ3と露光終了時(ｔ2＋ＴS時点)との間にフラッシュランプ３６の発光を開始させる。
これらによって、フラッシュランプ３６の光量を絞り７が開放状態のときに確実に最大にすることができる。
【００８０】
[C]図１において、フラッシュ設定手段６２は、フラッシュランプ３６の発光タイミングを任意に設定するタイミング設定機能を有するものとし、フラッシュ制御手段７５は、フラッシュ設定手段６２で設定されたタイミングでフラッシュランプ３６を発光させる。
これによって、被写体に応じて好みのタイミングでフラッシュランプ３６を発光させることができる。
【００８１】
次に、図２〜図６を用いて撮影動作について説明する。図３は撮影動作手順のフローチャート、図４〜図６はそれぞれ図３のサブルーチンのフローチャートである。
【００８２】
ボディマイコン３３(図１)において、スイッチＳＷ１がオフからオンに切り換えられたことが判別されると、図３のフローチャートに進んで撮影動作が開始される。このとき、図２に示すように、絞り７は開放状態が維持される。
【００８３】
図３において、まず、レンズ情報が読み取られ（＃１００）、フィルム感度が読み取られ（＃１１０）、次いで、測光値、すなわち被写体の明るさデータが取り込まれ（＃１２０）、設定された露出モードが取り込まれる（＃１３０）。
【００８４】
次いで、設定された露出モードがアポダイズモードかどうかが判別され（＃１４０）、アポダイズモードでなければ（＃１４０でＮＯ）、＃１２０で得られた測光値を用いて通常モードの露出制御値の演算、すなわち絞り込むべき段数の算出が行われるとともに、この段数がレンズマイコン１２から送られる開放Ｆナンバーに加算されて制御Ｆナンバーが算出され、この制御Ｆナンバーがレンズマイコン１２に送信されて（＃１５０）、＃２１０に進む。
【００８５】
一方、＃１４０において、露出モードがアポダイズモードであれば（＃１４０でＹＥＳ）、レンズ部Ｌのレンズがアポダイズモードで撮影可能なレンズかどうかが判別され（＃１６０）、撮影可能でなければ（＃１６０でＮＯ）、ファインダ内表示部２８にその旨の警告表示が行われ（＃１７０）、レリーズスイッチＳＷ２のオンの受付けが禁止されて（＃１８０）、このルーチンを終了する。
【００８６】
一方、＃１６０において、アポダイズモードで撮影可能であれば（＃１６０でＹＥＳ）、後述するアポダイズモードの露出制御値演算サブルーチンに進む（＃１９０）。
【００８７】
次いで、＃１９０のサブルーチン内においてレリーズスイッチＳＷ２のオンの受付けが禁止されたかどうかが判別され（＃２００）、禁止されていれば（＃２００でＹＥＳ）、このルーチンを終了し、一方、レリーズスイッチＳＷ２のオンの受付けが禁止されていなければ（＃２００でＮＯ）、測距手段２６の出力を用いてデフォーカス量が算出され、フォーカシングモータ１０の駆動量に関するデータがレンズマイコン１２に送信され、レンズマイコン１２によりフォーカシングモータ１０の駆動が制御されてフォーカシングが行われる（＃２１０）。
【００８８】
次いで、レリーズスイッチＳＷ２がオンかどうかが判別され（＃２２０）、オンであれば（＃２２０でＹＥＳ）、露出モードがアポダイズモードかどうかが判別され（＃２３０）、アポダイズモードでなければ（＃２３０でＮＯ）、後述する通常モードの撮影動作サブルーチンに進んで（＃２４０）、このルーチンを終了し、一方、露出モードがアポダイズモードであれば（＃２３０でＹＥＳ）、後述するアポダイズモードの撮影動作サブルーチンに進んで（＃２５０）、このルーチンを終了する。
【００８９】
一方、＃２２０において、レリーズスイッチＳＷ２がオフであれば（＃２２０でＮＯ）、スイッチＳＷ１がオンかどうかが判別され（＃２６０）、オンであれば（＃２６０でＹＥＳ）、＃２２０に戻り、オフであれば（＃２６０でＮＯ）、このルーチンを終了する。
【００９０】
図４は図３の＃１９０のアポダイズモードの露出制御値演算サブルーチンのフローチャートである。
まず、絞り７の絞り込み量の設定値ΔＡＶ0が取り込まれ（＃３００）、この設定値ΔＡＶ0及び＃１２０で得られた測光値を用いて、シャッタ速度ＴSが求められるとともに、シャッタ速度ＴSに応じて設定時間Ｔ2の値が決定される（＃３１０）。
【００９１】
次いで、求められたシャッタ速度ＴSと基準シャッタ速度ＴS0とが比較され（＃３２０）、ＴS＜ＴS0であれば（＃３２０でＹＥＳ）、アポダイズモードでの撮影が不可能であると判断されて、その旨がファインダ内表示部２８に警告表示され（＃３３０）、レリーズスイッチＳＷ２のオンの受付けが禁止されて（＃３４０）、このサブルーチンを終了する。
【００９２】
一方、＃３２０において、ＴS≧ＴS0であれば（＃３２０でＮＯ）、シャッタ速度ＴSに応じた絞り７の変化制御曲線が選択されて（＃３５０）、このサブルーチンを終了する。
【００９３】
図５は図３の＃２４０の通常モードの撮影動作サブルーチンのフローチャートである。
まず、主ミラー２１が退避され（＃４００）、絞り７が＃１５０で算出された制御Ｆナンバーまで絞り込まれ（＃４１０）、この絞り込まれた状態でシャッタ２２が駆動されてフィルムの露光が行われる（＃４２０）。
【００９４】
図６は図３の＃２５０のアポダイズモードの撮影動作サブルーチンのフローチャートである。
まず、経過時間のカウントが開始され（＃５００）、主ミラー２１が退避されて（＃５１０）、絞り７が設定値ΔＡＶ0だけ絞り込まれる（＃５２０）。
【００９５】
次いで、カウント中の経過時間が設定時間Ｔ1に達したかどうかが判別され（＃５３０）、設定時間Ｔ1が経過するまで待機し（＃５３０でＮＯ）、設定時間Ｔ1が経過すると（＃５３０でＹＥＳ）、絞り７の開き制御が開始される（＃５４０，図２のｔ1時点）。この開き制御は、＃３５０で選択された変化制御曲線に沿って行われる。
【００９６】
次いで、カウント中の経過時間が設定時間Ｔ2に達したかどうかが判別され（＃５５０）、設定時間Ｔ2が経過するまで待機し（＃５５０でＮＯ）、設定時間Ｔ2が経過すると（＃５５０でＹＥＳ）、シャッタ２２が駆動されてフィルムの露光が開始され（＃５６０，図２のｔ2時点）、次いで、露光終了直前にフラッシュランプ３６が発光される（＃５７０，図２のｔ4時点）。
【００９７】
なお、図３の＃１９０のアポダイズモードの露出制御値演算は、図４に代えて図１１に示す手順で行ってもよい。図１１は上記「（２）絞り７の開き制御」の[7]の場合における図３の＃１９０のアポダイズモードの露出制御値演算サブルーチンの手順を示すフローチャートである。
【００９８】
＃６００〜＃６４０は、図４の＃３００〜＃３４０と同一なので説明を省略する。＃６２０において、ＴS≧ＴS0であれば（＃６２０でＮＯ）、次いで、シャッタ速度ＴSと第２基準シャッタ速度ＴS10とが比較され（＃６５０）、ＴS＜ＴS 10であれば（＃６５０でＹＥＳ）、第１の変化制御曲線が選択され（＃６６０）、一方、ＴS≧ＴS10であれば（＃６５０でＮＯ）、第２の変化制御曲線が選択される（＃６７０）。
【００９９】
このように、本実施形態によれば、絞り７とシャッタ２２とを備え、シャッタ２２が開いてフィルムが露光されている間に絞り７の開口面積を変化させるようにしたので、周辺部の光量を低下させることにより、アポダイズ効果、すなわち二線ボケの無い美しいボケ具合の写真を得ることができる。
【０１００】
なお、本発明は、上記実施形態に限られず、以下に示す変形形態(１)、(２)を採用することができる。
【０１０１】
(１)図７に破線で示すように、フィルム２３で反射した光を受光する受光素子３８を備えるようにしてもよい。
撮影の際には、主ミラー２１が上方に退避することにより、レンズ光学系を通過した光がフィルム２３に到達して露光が行われるが、主ミラー２１の退避によりファインダ光学系に光が入射しないため、測光手段２７による測光が露光中に行えない。
【０１０２】
これに対して、この形態によれば、受光素子３８によりフィルム２３の反射光を検出することができるので、露光中の光量変化に対応した露出制御、例えばフラッシュランプ３６の発光量をフィルム２３の反射光を測定しながらリアルタイムに制御するＴＴＬ制御を行うことができる。
【０１０３】
(２)アポダイズモードでの撮影が不可能である旨の警告は、ファインダ内表示部２８の表示に代えて、音声合成部又はブザー等を用いて音声によって行うようにしてもよい。
【０１０４】
【発明の効果】
以上説明したように、本発明によれば、開口絞りを開放値以外の予め設定された初期値に絞り込むとともに、初期値に絞り込まれた後に前記開口絞りを徐々に開かせ、シャッタが開いている期間（露光時間）の終了時には少なくとも開放値近傍まで開かせた状態とするよう、開口絞りの開口面積を変化させるようにしたので、レンズ光学系の中心部を通過する光量と周辺部を通過する光量とを異なるものとすることができ、これによってアポダイズ効果を得ることができる。
【０１０５】
また、開口絞りを初期値に絞り込んだ後に、シャッタの開動作を開始するとともに、開口絞りを再び開くようにすることにより、シャッタが開いている間に開口絞りの開口面積が増大し、これによって、レンズ光学系の中心部を通過する光量に比べて周辺部を通過する光量を低下することができ、十分なアポダイズ効果を得ることができる。
【０１０６】
また、シャッタが開いている間に開口絞りを開放値近傍まで開くようにすることにより、レンズ光学系を通過する最外周部の光が撮影に用いられて、より十分なアポダイズ効果を得ることができる。
【０１０７】
また、初期値に絞り込まれた開口絞りを開き動作中に露出指数の変化速度が増大するように開かせることにより、レンズ光学系を通過する周辺部の光量が中心部から離れるに従って急激に低下し、これによって、より十分なアポダイズ効果を得ることができる。
【０１０８】
また、初期値に絞り込まれた開口絞りを露出指数の変化速度が一定で開くことにより、レンズ光学系を通過する周辺部の光量が中心部から離れるに従って低下し、これによって、より十分なアポダイズ効果を得ることができる。
【０１０９】
また、測光手段による測光値から露光時間を求め、求めた露光時間が所定値以下のときは制御手段の動作を禁止することにより、十分なアポダイズ効果が得られないときには、そのための撮影動作を行わないようにすることができる。
【０１１０】
また、測光手段による測光値から露光時間を求め、求めた露光時間が所定値以下のときは初期値を開放側に所定量だけ変更することにより、露光時間が所定値以下のときでも、アポダイズ効果を得ることができる。
【０１１１】
また、所定値を、初期値に絞り込まれた開口絞りを開放値まで全開するのに要する時間に設定することにより、開口絞りが露光時間内に全開されるかどうかを基準とすることができる。
【０１１２】
また、所定値を、フォーカルプレンシャッタの幕走行時間に対する所定比率に設定することにより、露光時間が幕走行時間に対する所定比率以下かどうかを基準とすることができる。
【０１１３】
また、求めた露光時間が所定値以下のときにその旨を報知することにより、十分なアポダイズ効果が得られない場合に、その旨が撮影者に報知することができる。
【図面の簡単な説明】
【図１】  本実施形態の制御構成を示すブロック図である。
【図２】  スイッチがオフからオンに切り換えられた後の各部の状態を示すタイミングチャートである。
【図３】  撮影動作手順のフローチャートである。
【図４】  図３の＃１９０のアポダイズモードの露出制御値演算のサブルーチンのフローチャートである。
【図５】  図３の＃２４０の通常モードの撮影動作のサブルーチンのフローチャートである。
【図６】  図３の＃２５０のアポダイズモードの撮影動作サブルーチンのフローチャートである。
【図７】  本発明に係るカメラの露出制御装置が適用されるカメラの一実施形態の概略内部構成図である。
【図８】  絞り及びその駆動部を示す分解斜視図である。
【図９】  絞りの開口径に対するＦナンバーを示す図である。
【図１０】  制御Ｆナンバーに対する絞り込み時の絞り駆動モータの駆動パルス数のテーブルデータを示す図である。
【図１１】  図３の＃１９０のアポダイズモードの露出制御値演算のサブルーチンの異なる手順例を示すフローチャートである。
【符号の説明】
５，６，９  レンズ
７  開口絞り
１０  フォーカシングモータ
１１  絞り駆動モータ
１２  レンズマイコン
２２  フォーカルプレンシャッタ
２６  測距手段
２７  測光手段
３１  シャッタ駆動手段
３３  ボディマイコン
３６  フラッシュランプ
３７  フラッシュ発光回路
４３  操作板
７１  ＲＡＭ
７２  ＲＯＭ
７３  露出演算手段
７４  シャッタ制御手段
７５  フラッシュ制御手段
８１  ＲＯＭ
８２  絞り制御手段
８３  フォーカス制御手段
Ｂ  ボディ部
Ｆ  外付けフラッシュ
Ｌ  レンズ部
ＳＷ１  スイッチ
ＳＷ２  レリーズスイッチ
【図１】
0003736040.tif 000002
【図２】
0003736040.tif 000003
【図３】
0003736040.tif 000004
【図４】
0003736040.tif 000005
【図５】
0003736040.tif 000006
【図６】
0003736040.tif 000007
【図７】
0003736040.tif 000008
【図８】
0003736040.tif 000009
【図９】
0003736040.tif 000010
【図１０】
0003736040.tif 000011
【図１１】
0003736040.tif 000012